(57)【要約】【課題】シャッター板の変形、および、シャッター板外れを抑制することができるシャッター装置を提供すること。【解決手段】内側に第一ストッパー１ａを有する筒状の本体１と、本体１の穴を開閉するシャッター板６と、第二ストッパー１１を有し、本体１の内側に固定されてシャッターピン８を介してシャッター板６を回動自在に軸支するシャッター取付板４と、を備え、シャッター板６は、第一ストッパー１ａおよび第二ストッパー１１によって一方向の回動が制限されるものである。【選択図】図１
2015143581.tif 000002
【特許請求の範囲】
【請求項１】
内側に第一ストッパーを有する筒状の本体と、
前記本体の穴を開閉するシャッター板と、
第二ストッパーを有し、前記本体の内側に固定されてシャッターピンを介して前記シャッター板を回動自在に軸支するシャッター取付板と、を備え、
前記シャッター板は、
前記第一ストッパーおよび前記第二ストッパーによって一方向の回動が制限される
ことを特徴とするシャッター装置。
【請求項２】
前記第二ストッパーは、前記本体の内側を流れる風と平行となるように設けられている
ことを特徴とする請求項１に記載のシャッター装置。
【請求項３】
前記第二ストッパーは、前記シャッター取付板に一体形成されている
ことを特徴とする請求項１または２に記載のシャッター装置。
【請求項４】
前記シャッター板は、左右端部が一方向に折り曲げられた形状となっている
ことを特徴とする請求項１〜３のいずれか一項に記載のシャッター装置。
【請求項５】
前記シャッター板は、中央部が一方向に押し出された形状となっている
ことを特徴とする請求項１〜４のいずれか一項に記載のシャッター装置。
【請求項６】
前記シャッターピンは、弾性を有する
ことを特徴とする請求項１〜５のいずれか一項に記載のシャッター装置。
【発明の詳細な説明】
【技術分野】
【０００１】
本発明は、換気装置などに用いられるシャッター装置に関するものである。
【背景技術】
【０００２】
従来のシャッター装置において、室内と屋外とを連通する排気風路上に回動自在に設けられたものが知られている（例えば特許文献１参照）。
このシャッター装置は、風圧により開放し、室内の風を屋外へ排出し、室外から逆風（以下、外風と称する）があるとシャッター板が仕切枠に引っ掛かって開放しないため、外風の逆流を防ぐ構造となっている。
【０００３】
また、シャッター板は、シャッターピンによって回動自在に軸支されているが、弾性を有するシャッターピンだと外風および室内の風の乱れによってシャッター板の振動音が生じる。そこで、このシャッター板の振動音を抑制するために、エラストマー製などの弾性を有するシャッターピンが用いられる。
【先行技術文献】
【特許文献】
【０００４】
【特許文献１】特開２００３−４２５２５号公報（例えば［００３８］、図５参照）
【発明の概要】
【発明が解決しようとする課題】
【０００５】
しかし、上記のような弾性を有するシャッターピンによってシャッター板が回動自在に軸支されているシャッター装置において、外風が強いとシャッター板が変形してしまい、それに伴いシャッターピンが引っ張られることでシャッター板がシャッターピンから外れてしまい、排気風路を塞いでしまうという課題があった。
【０００６】
本発明は、以上のような課題を解決するためになされたもので、シャッター板の変形、および、シャッター板外れを抑制することができるシャッター装置を提供することを目的としている。
【課題を解決するための手段】
【０００７】
本発明に係るシャッター装置は、内側に第一ストッパーを有する筒状の本体と、前記本体の穴を開閉するシャッター板と、第二ストッパーを有し、前記本体の内側に固定されてシャッターピンを介して前記シャッター板を回動自在に軸支するシャッター取付板と、を備え、前記シャッター板は、前記第一ストッパーおよび前記第二ストッパーによって一方向の回動が制限されるものである。
【発明の効果】
【０００８】
本発明に係るシャッター装置によれば、第一ストッパーとともに第二ストッパーでシャッター板の一方向の回動を制限し、外風の逆流を防ぐため、シャッター板の変形、および、シャッター板外れを抑制することができる。
【図面の簡単な説明】
【０００９】
【図１】本発明の実施の形態に係るシャッター装置を分解した状態の背面斜視図である。
【図２】本発明の実施の形態に係るシャッター装置の正面図である。
【図３】本発明の実施の形態に係るシャッター装置のシャッター取付板の正面斜視図である。
【図４】本発明の実施の形態に係るシャッター装置からシャッター板を取り外した状態の背面斜視図である。
【図５】本発明の実施の形態に係るシャッター装置のシャッター板の上側面図である。
【図６】図２のＡ−Ａ断面の矢視概略図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
実施の形態．
図１は、本発明の実施の形態に係るシャッター装置を分解した状態の背面斜視図、図２は、本発明の実施の形態に係るシャッター装置の正面図である。
なお、以下において、図１の左側（本体１が突出している側）をシャッター装置の背面側、図１の右側（フランジ２が形成されている側）をシャッター装置の正面側とする。また、図１の上側をシャッター装置の上側、下側をシャッター装置の下側とする。
【００１１】
本実施の形態に係るシャッター装置は、換気装置などに用いられ、排気風路上に取り付けられ、室内の風を屋外へ排出し、室外から逆風（以下、外風と称する）の逆流を防ぐものである。
シャッター装置は、図１に示すように、本体１と、フランジ２と、シャッター取付板４と、シャッター板６と、シャッターピン８と、で構成されている。
また、本体１は本体ストッパー１ａを、フランジ２はネジ穴３を、シャッター取付板４はシャッターピン保持穴５とシャッター取付板ストッパー１１とを、シャッター板６は軸支部７とピン穴７ａと絞り部９とくぼみ部９ａと曲げ部１０とを、それぞれ有している。
【００１２】
本体１は筒状に形成されており、その内側の下側中央には、側面視してＬ字形（厳密にＬ字形でなくてもよい）の本体ストッパー１ａが設けられている。なお、本体ストッパー１ａの形状や設けられている位置は上記に限定されるものではない。
フランジ２は本体１の一端の外周に本体１と一体形成され、その四隅に形成されたネジ穴３で換気装置などにネジ止めされ、固定される。なお、ネジ穴３は長穴とすることで、フランジ２を換気装置などにネジ止めする際に取り付け位置に余裕が生じるため、取り付けが容易になる。なお、本実施の形態では、フランジ２は本体１と一体形成されているものとしたが、換気装置側に形成し、本体１をフランジ２に溶接などで固定してもよい。
【００１３】
図３は、本発明の実施の形態に係るシャッター装置のシャッター取付板４の正面斜視図である。
シャッター取付板４は、図３に示すように正面視して逆Ｕ字状（厳密に逆Ｕ字状でなくてもよい）に形成されており、シャッターピン保持穴５とシャッター取付板ストッパー１１とを有している。
シャッターピン保持穴５は正面視して左右対称となるように２つ形成され、シャッターピン８を介してシャッター板６を回動自在に軸支するための穴である。シャッター取付板ストッパー１１は、正面視したシャッター取付板４の左右端部に、その反対側の端部に向かって（つまり、左端部なら右端部に向かって、右端部なら左端部に向かって）突出するように設けられている。
【００１４】
図４は、本発明の実施の形態に係るシャッター装置からシャッター板６を取り外した状態の背面斜視図である。
シャッター取付板４は、図４に示すように本体１の内側の上側に溶接によって固定される。
【００１５】
シャッター板６は、図１に示すように円形状（厳密に円形状でなくてもよい）に形成されており、軸支部７と絞り部９と曲げ部１０とを有している。軸支部７は背面視して左右対称となるように２つ設けられ、背面側に向かって突出している。また、軸支部７にはピン穴７ａがそれぞれ形成されている。そして、その軸支部７のピン穴７ａとシャッター取付板４のシャッターピン保持穴５とを重ね合わせ、その穴にシャッターピン８を通してピン止めすることで、シャッター板６はシャッター取付板４に回動自在に軸支される。
【００１６】
図５は、本発明の実施の形態に係るシャッター装置のシャッター板６の上側面図である。
絞り部９は、図５に示すように、中央部がくぼみ部９ａを除いてプレスによって背面側に向かって押し出された形状となっており、シャッター板６の外風に対する剛性を高めるために形成されたものである。
【００１７】
曲げ部１０は左右端部が正面側に折り曲げられて形成されており、絞り部９と同様にシャッター板６の外風に対する剛性を高めるために形成されたものである。なお、シャッター板６は、図２に示すように、本体１の本体ストッパー１ａおよびシャッター取付板４のシャッター取付板ストッパー１１よりも背面側に位置しており、シャッター取付板４の一方向、つまり、背面側から正面側への回動を制限する。
【００１８】
本実施の形態に係るシャッター装置は、本体１（背面側）が屋外側、フランジ２（正面側）が室内側となるように排気風路上に取り付けられ、例えば壁などの設置面に垂直に固定される。そして、本体１の内側（穴）が排気風路の一部となる。
【００１９】
換気装置の停止時（通常状態）においては、本体１の本体ストッパー１ａおよびシャッター取付板４のシャッター取付板ストッパー１１が、シャッター板６とそれぞれ接触した状態となっており、シャッター板６が筒状の本体１の穴を塞ぐ（つまりシャッター板６が本体１の穴を閉じる）ことにより、排気風路を塞いでいる。
【００２０】
換気装置が動作すると、送風機（図示省略）によって室内の風が装置内に取り込まれる。すると、その室内の風の風圧が正面側から背面側に向かってシャッター板６にかかり、シャッター板６が背面側に向かって回動し、シャッター板６と本体１の内側との間に隙間が生じ（つまりシャッター板６が本体１の穴を開き）、排気風路が開放される。そして、その排気風路から室内の風が屋外へ排出される。そして、換気装置が停止すると、シャッター板６にかかっていた室内の風の風圧が収まり、シャッター板６の自重によって本体１の本体ストッパー１ａおよびシャッター取付板４のシャッター取付板ストッパー１１とそれぞれ接触した状態に戻り、再び排気風路を塞ぐ。
【００２１】
図６は、図２のＡ−Ａ断面の矢視概略図である。なお、図６中の矢印は、外風の流れを示している。
一方、外風があった場合、その風圧が図６の矢印に示すように背面側から正面側に向かってシャッター板６にかかるが、本体ストッパー１ａおよびシャッター取付板ストッパー１１にシャッター板６が引っ掛かり、シャッター板６の背面側から正面側への回動を制限するため、シャッター板６が正面側に向かって回動しないようになっている。そのため、シャッター板６が排気風路を塞いだままとなり、外風の逆流を防ぐ構造となっている。
【００２２】
以上のように、本体ストッパー１ａおよびシャッター取付板４がシャッター板６の一方向の回動を制限することで、室内の風は屋外へ排出するが、外風の逆流は防ぐようになっている。
【００２３】
ここで、従来ではシャッター取付板４にシャッター取付板ストッパー１１が設けられていなかったため、外風があった場合、本体ストッパー１ａのみにシャッター板６が引っ掛かり、本体ストッパー１ａのみでシャッター板６の一方向の回動を制限していた。しかし、外風が強いとその風圧に耐えきれず、シャッター板６が変形したり、シャッター板６がシャッターピン８から外れてしまい、排気風路を塞いでしまったりという課題が生じていた。
【００２４】
そこで、本実施の形態では、本体１の本体ストッパー１ａに加え、シャッター取付板４にシャッター取付板ストッパー１１を設けたことにより、その両方でシャッター板６の一方向の回動を制限することができるため、本体１の本体ストッパー１ａのみの場合に比べ、外風に対する耐力を強化することができる。
そのため、外風によってシャッター板６が変形すること、および、シャッター板６がシャッターピン８から外れてしまうことを抑制できる。
【００２５】
なお、シャッター取付板ストッパー１１をシャッター取付板４に一体形成することで、部品点数を増やす必要がなくなるため、容易かつ低コストで製造できる。
【００２６】
また、シャッター取付板ストッパー１１を、風の流れる方向に対して平行となるようにシャッター取付板４に設けることで、シャッター板６が回動して排気風路が開放された際に、シャッター取付板ストッパー１１が風の流れを妨げず、排気風路の通風性を損なわずに済む。
【００２７】
また、シャッター板６に絞り部９および曲げ部１０を形成することで、シャッター板６の剛性が高くなり、外風に対するシャッター板６の変形が抑制されるため、外風によるシャッター外れに対する耐力を高くできる。
【００２８】
また、シャッターピン８にエラストマー製などの弾性を有する素材を用いることで、シャッター板６の振動が軽減され、外風および室内の風の乱れによるシャッター板６の振動音を小さくできる。
【００２９】
なお、「本体ストッパー１ａ」は本発明の「第一ストッパー」に対応し、「シャッター取付板ストッパー」は本発明の「第二ストッパー」にそれぞれ対応する。
【符号の説明】
【００３０】
１  本体、１ａ  本体ストッパー（第一ストッパー）、２  フランジ、３  ネジ穴、４  シャッター取付板、５  シャッターピン保持穴、６  シャッター板、７  軸支部、７ａ  ピン穴、８  シャッターピン、９  絞り部、９ａ  くぼみ部、１０  曲げ部、１１  シャッター取付板ストッパー（第二ストッパー）。
【図１】
2015143581.tif 000003
【図２】
2015143581.tif 000004
【図３】
2015143581.tif 000005
【図４】
2015143581.tif 000006
【図５】
2015143581.tif 000007
【図６】
2015143581.tif 000008